(57)【要約】【課題】  内蔵の抵抗素子が破損したときにはその破損片が一対の接点バネで挟持されない構造にして、通電しても発煙しないようにする。【解決手段】  電気絶縁体の硬質樹脂からなる容器２に収納した正の抵抗温度係数を有する抵抗素子１を、導電性と弾性を備えた給電装置３、４の接点バネ５６により押圧して、抵抗素子１を導通状態に挟持した始動リレーにおいて、接点バネ５、６は胴部と、胴部から延設された２本の腕部と、各腕部先端から延設されて抵抗素子を押圧する離間した押圧部とを備えて形成すると共に、接点バネ５の押圧部５Ｃ１、５Ｃ２と、接点バネ６の押圧部６Ｃ１、６Ｃ２とが互いに十字状に交差した方向に設けて、挟持している抵抗素子１が破損しても破損片が接点バネ５、６に挟持されないようにした。【選択図】    図１
2007014071.tif 000002
【特許請求の範囲】
【請求項１】
正の抵抗温度係数を有する抵抗素子と、抵抗素子の一対の対向する面同士を押圧して抵抗素子と導通状態に抵抗素子を挟持した導電性および弾性を有する一対の挟持導通手段とを電気絶縁体からなる容器内に収納して構成される始動リレーにおいて、一対の挟持導通手段は何れも胴部と、胴部から延設された腕部と、腕部から延設されて抵抗素子を押圧する押圧部とを備えて形成され、且つ、押圧部同士が抵抗素子の一対の対向する各面内で位置をずらして配置されたことを特徴とする始動リレー。
【請求項２】
一対の挟持導通手段は何れも胴部と、胴部両端から延設された２本の腕部と、各腕部先端から延設されて抵抗素子を押圧する離間した２個の押圧部とを備えて形成され、且つ、離間した押圧部同士が互いに十字状に交差した方向に配置されたことを特徴とする請求項１記載の始動リレー。
【請求項３】
胴部と腕部と押圧部とを備えた挟持導通手段が板状部材のプレス加工により形成されたことを特徴とする請求項１または２記載の始動リレー。
【発明の詳細な説明】
【技術分野】
【０００１】
本発明は、単相誘導電動機などに使用される始動リレーに係るものである。
【背景技術】
【０００２】
この種の始動リレーとしては、例えば図４に示したように、正の抵抗温度係数（ＰＴＣ）を有する抵抗素子１を、ハの字状に拡開した一対の接点ばね５、６により挟持して電気絶縁体の容器２内に収納し、例えば家庭用冷蔵庫などに組み込まれた圧縮機を駆動する、単相誘導電動機用の始動リレー１００Ｘが周知である（例えば、特許文献１参照。）。
【０００３】
なお、抵抗素子１は所定の温度以上に加熱されると電気抵抗が急激に増大する、例えばチタン酸バリウムセラッミクス（キュリー点１３０℃）などを用いて作製される。
【０００４】
始動リレー１００Ｘは、単相誘導電動機の補助巻線に接続されて設置されるので、単相誘導電動機の始動時には抵抗素子１の温度が低いために電気抵抗が小さく、補助巻線には大きな始動電流が流れて始動開始となるが、自らに流れる電流により抵抗素子１は自己発熱し温度が上昇するので、電気抵抗が増大して補助巻線に流れる電流を低減させる。
【０００５】
また、図５に示した構造の始動リレー１００Ｙ（例えば、特許文献２参照。）も周知である。この始動リレー１００Ｙは、一対の接点バネ５、６の間を押し拡げながら抵抗素子１を接点バネ５、６同士の間に挿入する図４に示した始動リレー１００Ｘにおいては、抵抗素子１の両側面には挿入の時点から接点バネ５、６の挟持力が作用し、抵抗素子１の表面が傷付いたり、接点バネ５、６の開きが偏って抵抗素子１と接点バネ５、６との間で接触不良が発生することがあったので、主容器２Ａと蓋容器２Ｂとを一体化していないときには一対の接点バネ５、６による抵抗素子１に対する挟持力は小さい（したがって、抵抗素子１を接点バネ５、６間に設置する作業が容易。）が、主容器２Ａと蓋容器２Ｂとを一体化し、突起２Ｃを所要部に嵌入したときには一対の接点バネ５、６が所定の大きな押圧力で抵抗素子１を押圧挟持するように構成して、前記問題点を解決したものである。
【０００６】
しかし、前記始動リレー１００Ｘ、リレー１００Ｙにおいては、抵抗素子１を両側から挟持する一対の接点バネ５、６が抵抗素子１の面対照な部位を両側から押圧して挟持する構造となっていたので、抵抗素子１が破壊されたときには破損した抵抗素子片が一対の接点バネ５、６により挟持され、端子７、８から電力を供給したときにその部分で発熱して高温になり、発煙することがあると云った問題点があった。
【特許文献１】特開平５−１５１７８号公報
【特許文献２】特開平８−２６６０７６号公報
【発明の開示】
【発明が解決しようとする課題】
【０００７】
したがって、内蔵している抵抗素子が破損したときにはその破損片が一対の接点バネで挟持されない構造にして、通電しても発煙しないようにする。
【課題を解決するための手段】
【０００８】
本発明は、正の抵抗温度係数を有する抵抗素子と、抵抗素子の一対の対向する面同士を押圧して抵抗素子と導通状態に抵抗素子を挟持した導電性および弾性を有する一対の挟持導通手段とを電気絶縁体からなる容器内に収納して構成される始動リレーにおいて、一対の挟持導通手段は何れも胴部と、胴部から延設された腕部と、腕部から延設されて抵抗素子を押圧する押圧部とを備えて形成され、且つ、押圧部同士が抵抗素子の一対の対向する各面内で位置をずらして配置されたことを主要な特徴とする始動リレーである。
【発明の効果】
【０００９】
本発明によれば、一対の挟持導通手段は押圧部同士が対峙しない位置に配置されているので、挟持されている抵抗素子が破壊されても破損片が挟持導通手段により挟持されることがないので、通電時に加熱されて発煙などすることがない。
【発明を実施するための最良の形態】
【００１０】
正の抵抗温度係数を有する抵抗素子と、抵抗素子の一対の対向する面同士を押圧して抵抗素子と導通状態に抵抗素子を挟持した導電性および弾性を有する一対の挟持導通手段とを電気絶縁体からなる容器内に収納して構成される始動リレーにおいて、一対の挟持導通手段は何れも胴部と、胴部両端から延設された２本の腕部と、各腕部先端から延設されて抵抗素子を押圧する離間した２個の押圧部とを備えて、板状部材のプレス加工により形成され、且つ、離間した押圧部同士が互いに十字状に交差した方向に配置されたことを特徴とする始動リレー。
【実施例１】
【００１１】
以下、本発明の一実施例を図１、図２に基づいて詳細に説明する。なお、理解を容易にするため、これらの図面においても前記図面において説明した部分と同様の機能を有する部分には同一の符号を付し、理解を妨げない範囲で説明は省略した。
【００１２】
本発明の始動リレー１００においても、抵抗素子１は所定の温度以上に加熱されると電気抵抗が急激に増大する、例えばチタン酸バリウムセラッミクス（キュリー点１３０℃）などを用いて作製されたものが使用される。
【００１３】
３、４は、それぞれ抵抗素子１に対する挟持導通手段としての接点バネ５、６と、図示しない電力供給線が連結される端子７、８とを備えた給電装置（特許文献２において接触装置と記述されているものに相当）であり、導電性と弾性を備えた金属製である。
【００１４】
接点バネ５、６は、何れも前記特許文献２に提案された始動リレー１００Ｙに用いられているＣ字状の接点バネと同様に板状部材からプレス加工により作製されたものであり、細長く形成された中央部分の胴部５Ａ、６Ａと、各胴部の長手方向両端部分から延設された各２本の腕部５Ｂ１、５Ｂ２、６Ｂ１、６Ｂ２と、各腕部先端部分から延設されて抵抗素子１の一対の対向する面同士を両側から押圧して挟持する離間した押圧部５Ｃ１、５Ｃ２、６Ｃ１、６Ｃ２とを備えている。
【００１５】
なお、給電装置３、４では接点バネに対する端子の設け方が異なっている。すなわち、給電装置３における接点バネ５と端子７とは特許文献２における接触装置と同様に、端子７は接点バネ５の胴部５Ａの側方に僅かに突出した状態で、胴部５Ａの長手方向の中央部分から一方の腕部５Ｂ１の部分を超える長さに形成されているが、給電装置４における端子８は接点バネ６の胴部６Ａの長手方向の中央部分から胴部６Ａの長手方向と直交する横方向（図面下方）に突出した状態で片側に形成されている。
【００１６】
そのため、図２に例示したように接点バネ５の押圧部５Ｃ１、５Ｃ２と、接点バネ６の押圧部６Ｃ１、６Ｃ２とが対向すると共に、端子７、８が平行になるように給電装置３、４を配置すると、接点バネ５の胴部５Ａと接点バネ６の胴部６Ａとは十字状に交差し、接点バネ５の押圧部５Ｃ１、５Ｃ２と、接点バネ６の押圧部６Ｃ１、６Ｃ２の位置は互いにずれて対峙することはない。
【００１７】
したがって、給電装置３、４を図２に示した向きで電気絶縁体の硬質樹脂製の容器２内に設置し、抵抗素子１を給電装置３の押圧部５Ｃ１、５Ｃ２と、給電装置４の押圧部６Ｃ１、６Ｃ２とで抵抗素子１を横方向から押圧し、挟持したときには、使用時などにおいて不測の事態が生じて抵抗素子１が破壊されることがあっても、破壊した抵抗素子片が給電装置３の押圧部５Ｃ１、５Ｃ２と、給電装置４の押圧部６Ｃ１、６Ｃ２とで押圧挟持されることがないので、端子７、８から給電されても発煙するなどと云った不都合が生じることがない。また、給電装置３の押圧部５Ｃ１、５Ｃ２と、給電装置４の押圧部６Ｃ１、６Ｃ２とが直接触れることもない。
【００１８】
なお、本発明は上記実施例に限定されるものではないので、特許請求の範囲に記載の趣旨から逸脱しない範囲で各種の変形実施が可能である。
【００１９】
例えば、挟持導通手段としての接点バネ５、６は、図３に例示した形状の物に変更されても良いし、抵抗素子１を両側から押圧して挟持する押圧部が３箇所以上に分散して設けられたものであっても良い。また、その押圧部を各１個だけ備えたものであっても良い。
【００２０】
但し、挟持導通手段が各１個の押圧部を備え、その１個の押圧部が互いに抵抗素子１の一対の対向する各面内で位置をずらして配置されるときには、抵抗素子１には挟持している一対の挟持導通手段から回転モーメントが作用するので、容器２内に抵抗素子１の回転を防止する適宜の回転止め手段を設ける必要がある。
【００２１】
端子７、８は接点バネ５、６に対して同じ方向に形成されても良いし、挟持導通手段である接点バネ５、６を含む給電装置３、４としては、容器２内に設置する際の位置決め手段などを適宜付加することができる。
【００２２】
そして、給電装置３、４それぞれを１枚の板状部材からプレス加工して作製したり、１枚の板状部材からプレス加工して作製した接点バネ５、６と、端子７、８などからなる残余の部分とをスポット溶接などにより一体化することも可能である。
【図面の簡単な説明】
【００２３】
【図１】本発明の一実施例を示す説明図である。
【図２】本発明の要部を示す説明図である。
【図３】本発明の要部の他の形状例を示す説明図であり、（Ａ）はハ字状に形成した接点バネ５の説明図、（Ｂ）はコ字状に形成した接点バネ５の説明図である。
【図４】第１の従来技術を示す説明図である。
【図５】第２の従来技術を示す説明図である。
【符号の説明】
【００２４】
１  抵抗素子
２  容器
２Ａ  主容器
２Ｂ  蓋容器
３、４  給電装置
５  接点バネ
５Ａ  胴部
５Ｂ１、５Ｂ２  腕部
５Ｃ１、５Ｃ２  押圧部
６  接点バネ
６Ａ  胴部
６Ｂ１、６Ｂ２  腕部
６Ｃ１、６Ｃ２  押圧部
７、８  端子
１００、１００Ｘ、１００Ｙ  始動リレー
【図１】
2007014071.tif 000003
【図２】
2007014071.tif 000004
【図３】
2007014071.tif 000005
【図４】
2007014071.tif 000006
【図５】
2007014071.tif 000007